(57)【特許請求の範囲】
【請求項１】
水底に堆積するヘドロ層を覆って設置されるヘドロ層の被覆構造であって、袋体の内部に、７４ミクロン以下の粒径の土砂成分が５０％以上を占め、透水係数が１０−４cm／sec以下である細粒土を包含するマット状部材を、前記ヘドロ層の表面に敷設することを特徴とするヘドロ層の被覆構造。
【請求項２】
前記マット状部材の表面に、水生植物を植生することを特徴とする請求項１に記載のヘドロ層の被覆構造。
【発明の詳細な説明】
【０００１】
【発明の属する技術分野】
この発明は、ヘドロ層の被覆構造に関し、特に、水底に堆積するヘドロ層を覆って設置されるヘドロ層の被覆構造に関する。
【０００２】
【従来の技術】
例えば、工場に隣接する河川や湖沼、港湾部などの水底には、流れの悪い水域に、不溶性の有機物などを含む軟らかい汚泥であるヘドロが堆積する場合がある。このようなヘドロは、水中に水質汚濁物質を溶出させて、水質の悪化を招くおそれがあるため、従来の方法によれば、これを例えば砂の層で被覆して、このような水質汚濁物質の溶出を防止している。
【０００３】
【発明が解決しようとする課題】
しかしながら、上記従来の砂によってヘドロを覆う方法によれば、砂は１０-2〜１０-3cm／sec 程度の透水係数を有するものであるため、水質汚濁物質の溶出抑制効果を期待するには、３０ｃｍ程度の厚さを確保する必要があるとともに、砂を水中に投入して砂層を形成するものであることから、施工精度を考慮すると実際には５０ｃｍ程度の厚さが確保されるように施工する必要がある。
【０００４】
したがって、このような厚さの大きな砂層が水底に形成されることから、有効貯水量が減少したり必要な水深が確保できなくなるとともに、施工時のロスを考慮すると大量の砂が必要となって不経済となるという課題があった。
【０００５】
また、透水係数の小さな粘性土等の細粒土を覆砂の代替材料として使用することも考えられるが、施工時における水質汚濁や水中での再泥化、施工性の悪さなどの課題があった。
【０００６】
そこで、この発明は、このような従来の課題に着目してなされたもので、ヘドロを覆う層の厚さを低減して、有効貯水量や必要な水深を容易に確保することができるとともに、多量の土砂を用いることなく経済的かつ容易に施工することのできるヘドロ層の被覆構造を提供することを目的とするものである。
【０００７】
【課題を解決するための手段】
この発明は、上記目的を達成するためになされたもので、その要旨は、水底に堆積するヘドロ層を覆って設置されるヘドロ層の被覆構造であって、袋体の内部に、７４ミクロン以下の粒径の土砂成分が５０％以上を占め、透水係数が１０−４cm／sec以下である細粒土を包含するマット状部材を、前記ヘドロ層の表面に敷設することを特徴とするヘドロ層の被覆構造にある。
【０００８】
ここで、上記袋体としては、例えば織布や不織布等からなる、内容物である細粒土を流出させないものを使用することができる。
【０００９】
また、この発明のヘドロ層の被覆構造は、前記マット状部材の表面に、水生植物を植生するようにすることが好ましい。
【００１０】
このような水生植物を植生させるには、例えば細粒土に植物種子を混入したものを袋体の内部に包含して、この植物種子を発芽、育成することにより容易に植生を形成することができる。
【００１１】
そして、この発明のヘドロ層の被覆構造によれば、細粒土は、例えば１０-4cm／sec 程度の低い透水係数を有するとともに、袋体によって、流出することなくヘドロ層の上面にこれを覆う被覆層を形成保持するので、その厚さを少なくしても、ヘドロ層からの水質汚濁物質の溶出を容易に抑制することができ、例えば１０ｃｍ程度の厚さとすることができる。
【００１２】
また、敷設したマット状部材の表面に、水生植物を植生するようにすれば、かかる水生植物は、窒素やリンなどの水質が富栄養化する原因となる物質を吸収する性質を有しているので、水質の改善効果を発揮することが可能となる。
【００１３】
【発明の実施の形態】
以下、本発明の好ましい実施の形態につき、添付図面を参照しつつ詳細に説明する。この発明のヘドロ層の被覆構造１０は、水底に堆積するヘドロ層１１を覆って設置されるもので、織布や不織布からなる袋体１２の内部に細粒土１３を包含するマット状部材１４を、ヘドロ層１１の表面に敷設することによって構成される。
【００１４】
また、この実施形態によれば、袋体１２の内部に詰め込まれる細粒土１３が水生植物の種子を含んでいることにより、マット状部材１４の表面には、時間の経過とともに、水生植物１５が植生することになる。
【００１５】
ここで、袋体１２は、平面形状が幅２．０ｍ、長さ５．０ｍ程度の大きさを有するとともに、その内空の厚さが１０ｃｍ程度となるように幅止めされていて、これの内部に粘性土等の細粒土１３を詰め込んで転圧することによってこの細粒土１３による透水係数を１０-4cm／sec より小さくするとともに、このようにして細粒土１３を詰め込むことにより、幅２．０ｍ、長さ５．０ｍ程度、厚さが１０ｃｍ程度のマット状部材１４が形成されることになる。
【００１６】
そして、このようなマット状部材１４を、ヘドロ層１１を覆って敷設するには、例えば台船等によって運搬してきたマット状部材１４を、クレーン等によって吊り上げて水中に沈設し、潜水夫により案内しつつ敷設作業を行うことにより、所定の位置に容易に敷設設置することができる。
【００１７】
また、このようにして敷設したマット状部材１４の浮き上がりや横移動を防止するために、マット状部材１４の表面には、適宜、重りとしてのグレーチング１６を設置したり、杭を打ち込む作業を行なう。
【００１８】
そして、このようにして設けられたこの実施形態のヘドロ層１１の被覆構造によれば、袋体１２の内部に詰め込まれる細粒土１３は、例えば１０-4cm／sec 程度の低い透水係数を有し、また水との接触自体が制限されることになるため、ヘドロ層１１を覆うマット状部材１４の厚さが１０ｃｍ程度であっても、ヘドロ層１１からの水質汚濁物質等の水質悪化の原因となる物質の溶出を容易に抑制することができる。
【００１９】
また、敷設したマット状部材１４の表面には水生植物１５が植生されているので、窒素やリンなどの水質が富栄養化する原因となる物質や、その他の水質悪化の原因となる物質を吸収したり分解して、水質の改善効果を発揮することになる。
【００２０】
したがって、この実施形態によれば、ヘドロ層１１を覆う被覆層の厚さを低減して、有効貯水量や必要な水深を容易に確保することができるとともに、多量の土砂を用いることなく経済的かつ容易に施工することが可能になる。
【００２１】
なお、この発明は、上記実施形態の実施の態様のものに限定されるものではなく、各請求項に記載された構成の範囲内において種々に変更して採用することができる。例えばマット状部材１４の表面に、水生植物１５を植生する必要は必ずしもなく、また、マット状部材１４によってヘドロ層１１を覆うには、予め細粒土１３を詰めたマット状部材１４を沈設して敷設する方法の他、予めヘドロ層１１を覆って設置した袋体１２に、細粒土１３を後から注入する方法を採用することもできる。
【００２２】
【発明の効果】
以上詳細に説明したように、この発明のヘドロ層の被覆構造は、袋体の内部に細粒土を包含するマット状部材を、ヘドロ層の表面に敷設することによって構成されるので、ヘドロを覆う層の厚さを低減して、有効貯水量や必要な水深を容易に確保することができるとともに、多量の土砂を用いることなく経済的かつ容易に施工することができる。そして、細粒土として７４ミクロン以下の粒径の土砂成分が５０％以上を占め、透水係数が１０−４cm／sec以下であるものを用いることで、ヘドロ層を覆うマット状部材の厚さが１０ｃｍ程度であっても、ヘドロ層からの水質汚濁物質等の水質悪化の原因となる物質の溶出を容易に抑制することができる。
【００２３】
また、敷設したマット状部材の表面に、水生植物を植生するようにすれば、かかる水生植物は、窒素やリンなどの水質が富栄養化する原因となる物質を吸収する性質を有しているので、水質の改善効果を発揮することができる。
【図面の簡単な説明】
【図１】この発明の一実施形態にかかるヘドロ層の被覆構造の構成を示す断面図である。
【符号の説明】
１０  被覆構造
１１  ヘドロ層
１２  袋体
１３  細粒土
１４  マット状部材
１５  水生植物
１６  グレーチング
【図１】
0004291891.tif 000002